(57)【要約】【課題】本体形状を大型化することなく洗浄槽の容積を拡大して、洗浄可能な食器の量を多くする。【解決手段】洗浄ポンプ４のインペラの回転軸１１と、モータ５の回転軸１２を同心として略鉛直方向に構成するとともに、洗浄槽１の底部から下方へ膨出した貯水部２の側方で、かつ、洗浄ノズル３の回転軌跡と対向する前記洗浄槽１の底部下方に形成した空間部Ａにモータ５および洗浄ポンプ４を配設し、前記モータ５の上面と洗浄槽１の底部外面との間に前記モータ５の冷却用空気を流動させる間隙１７を形成したものである。【選択図】  図１
2004275364.tif 000002
【特許請求の範囲】
【請求項１】
貯水部を有した洗浄槽と、前記貯水部の洗浄水を加圧する洗浄ポンプと、前記洗浄ポンプによって加圧された洗浄水を前記洗浄槽内に噴射する回転自在な洗浄ノズルと、前記洗浄ポンプを駆動するモータとを具備し、前記洗浄ポンプのインペラの回転軸と前記モータの回転軸を同心として略鉛直方向に構成するとともに、前記洗浄槽の底部から下方へ膨出した貯水部の側方で、かつ、前記洗浄ノズルの回転軌跡と対向する前記洗浄槽の底部下方に形成した空間部に前記モータおよび洗浄ポンプを配設し、前記モータの上面と洗浄槽の底部外面との間に前記モータの冷却用空気を流動させる間隙を形成した食器洗い機。
【請求項２】
モータの上面側に同モータを冷却するファンを設けるとともに、洗浄槽の底部に上方へ窪ませた凹部を設け、前記凹部内に前記ファンを収容した請求項１記載の食器洗い機。
【請求項３】
モータの内部に回転軸方向へ延びる領域を有した通気路を形成し、前記モータの下方から引き込んだ空気は、前記通気路を通って洗浄槽の底部外面との間に設けた間隙から前記モータの外周方向へ流出するようにした請求項１または２記載の食器洗い機。
【請求項４】
洗浄槽の底部に設けた凹部は、その開口側の外周縁に内側上がりの傾斜部または曲面部を設けた１〜３のいずれか１項に記載の食器洗い機。
【請求項５】
モータの通気路から流出する空気を前記モータの回転軸側へ導くガイド部を設けた請求項１〜４のいずれか１項に記載の食器洗い機。
【請求項６】
モータをトロイダルモータで構成した請求項１〜５のいずれか１項に記載の食器洗い機。
【発明の詳細な説明】
【０００１】
【発明の属する技術分野】
本発明は、食器の洗浄を行う食器洗い機に関するものである。
【０００２】
【従来の技術】
従来、この種の食器洗浄機は、図４および図５に示すように、洗浄槽１の底部に設けた貯水部２の洗浄水を回転自在な洗浄ノズル３から洗浄槽１内に収容した食器に向けて噴射する洗浄ポンプ４を有している。この洗浄ポンプ４はモータ５の回転軸と同心として略鉛直方向に構成し、洗浄ノズル３の回転軌跡６から外れるように洗浄槽１の下方空間に配設している（例えば、特許文献１参照）。
【０００３】
したがって、図５のように洗浄ポンプ４を回避して洗浄槽１を筐体７内に無駄な空間が生じないように最大限大きくしても、洗浄ノズル３の回転軌跡６から外れた部分８は有効な洗浄可能領域とはならず、洗浄槽１内の洗浄可能な空間が狭くなり、また、所定の洗浄可能な空間を確保すると洗浄槽１を収容する筐体７が大きくなり、狭いスペースへの設置が困難になるという問題があった。
【０００４】
そこで、筐体７を大型化することなく洗浄可能な空間を確保するために、図６に示すように、洗浄ポンプ４をモータ５の回転軸と同心として略水平方向に構成し、洗浄ノズル３の回転軌跡と対向する洗浄槽１の底部下方に空間部９に小型化して配設することが考えられている（例えば、特許文献２参照）。
【０００５】
【特許文献１】
特開平９−１３１２９２号公報
【特許文献２】
特開２００１−１９８０７１号公報
【０００６】
【発明が解決しようとする課題】
しかしながら、このような特許文献２に記載された構成によれば、洗浄ポンプ４およびモータ５の外形が細くなるため、モータ５の回転数を大幅に上げなければ所定のポンプ性能を得ることができず、モータ５駆動時の駆動音および振動が増大し、モータの寿命にも悪影響を及ぼすという新たな課題が生じ、筐体７を大型化することなく洗浄槽１内の洗浄空間を大きくすることは困難であった。
【０００７】
本発明は上記の課題を解決するもので、筐体によって形成される本体の外郭形状を大型化することなく洗浄槽の容積を拡大して、収容可能な食器の量が多くできる食器洗浄機を提供することを目的としている。
【０００８】
【課題を解決するための手段】
上記の目的を達成するために、本発明の食器洗浄機は、洗浄ポンプのインペラの回転軸と前記モータの回転軸を同心として略鉛直方向に構成するとともに、洗浄槽の底部から下方へ膨出した貯水部の側方で、かつ、洗浄ノズルの回転軌跡と対向する前記洗浄槽の底部下方に形成した空間部に前記モータおよび洗浄ポンプを配設し、前記モータの上面と洗浄槽の底部外面との間に前記モータの冷却用空気を流動させる間隙を形成したものである。
【０００９】
これにより、本体形状を大型化することなく洗浄槽の容積を拡大して、収容可能な食器の量を多くすることができ、コンパクトな本体形状で多量の食器を洗浄することができるとともに、洗浄槽の底部下方の狭い空間にモータおよび洗浄ポンプを配設した場合でも、モータを効率よく冷却して温度上昇を抑えることができる。
【００１０】
【発明の実施の形態】
本発明の請求項１に記載の発明は、貯水部を有した洗浄槽と、前記貯水部の洗浄水を加圧する洗浄ポンプと、前記洗浄ポンプによって加圧された洗浄水を前記洗浄槽内に噴射する回転自在な洗浄ノズルと、前記洗浄ポンプを駆動するモータとを具備し、前記洗浄ポンプのインペラの回転軸と前記モータの回転軸を同心として略鉛直方向に構成するとともに、前記洗浄槽の底部から下方へ膨出した貯水部の側方で、かつ、前記洗浄ノズルの回転軌跡と対向する前記洗浄槽の底部下方に形成した空間部に前記モータおよび洗浄ポンプを配設し、前記モータの上面と洗浄槽の底部外面との間に前記モータの冷却用空気を流動させる間隙を形成したものであり、本体形状を大型化することなく洗浄槽の容積を拡大して、収容可能な食器の量を多くすることができ、コンパクトな本体形状で多量の食器を洗浄することができるとともに、洗浄槽の底部下方の狭い空間にモータおよび洗浄ポンプを配設した場合でも、モータを効率よく冷却して温度上昇を抑えることができる。
【００１１】
請求項２に記載の発明は、上記請求項１に記載の発明において、モータの上面側に同モータを冷却するファンを設けるとともに、洗浄槽の底部に上方へ窪ませた凹部を設け、前記凹部内に前記ファンを収容したものであり、洗浄槽の底部下方の空間にファンをコンパクトに収容して、モータの冷却を効率よく行うことができる。
【００１２】
請求項３に記載の発明は、上記請求項１または２に記載の発明において、モータの内部に回転軸方向へ延びる領域を有した通気路を形成し、前記モータの下方から引き込んだ空気は、前記通気路を通って洗浄槽の底部外面との間に設けた間隙から前記モータの外周方向へ流出するようにしたものであり、モータの内部と外面を同時に効率よく冷却することができる。
【００１３】
請求項４に記載の発明は、上記請求項１〜３に記載の発明において、洗浄槽の底部に設けた凹部は、その開口側の外周縁に内側上がりの傾斜部または曲面部を設けたものであり、モータの内部を通過して洗浄槽の底部外面に到達した空気をモータの外周方向へ円滑に流動させて冷却効果をよくすることができる。
【００１４】
請求項５に記載の発明は、上記請求項１〜４に記載の発明において、モータの通気路から流出する空気を前記モータの回転軸側へ導くガイド部を設けたものであり、冷却流がモータの上面に接触する面積を大きくして冷却効果をよくすることができる。
【００１５】
請求項６に記載の発明は、上記請求項１〜５に記載の発明において、モータをトロイダルモータで構成したものであり、貯水部の側方に形成される高さの低い空間部内にコンパクトに配設することができる。
【００１６】
【実施例】
以下、本発明の実施例について、図面を参照しながら説明する。
【００１７】
（実施例１）
図１〜図３において、１は食器かご６を設置して食器を洗う洗浄槽で、水道水を食器洗い機の本体７へ導く給水経路、水道水の止水あるいは給水を行う給水弁、給水された水を所定の水位に保つ水位センサ、および制御回路等からなる貯水量制御手段（図示せず）により給水された水を貯める貯水部２を底部に設けている。
【００１８】
４は貯水された水を加圧する洗浄ポンプで、この洗浄ポンプ４内のインペラ１０の回転軸１１と、洗浄ポンプ４の駆動源であるモータ５の回転軸１２を同心として略鉛直方向に構成するとともに、洗浄槽１の底部から下方へ膨出した貯水部２の側方で、かつ、食器を洗浄する洗浄手段として、食器かご６に置かれた食器に向けて洗浄水を噴射する洗浄ノズル３の回転軌跡と対向する洗浄槽１の底部下方に空間部Ａを形成し、この空間部Ａにモータ５および洗浄ポンプ４を配設する。モータ５は高さを低く形成するのに適したトロイダルモータで構成している。８は貯水部２内の水を加熱するヒータ、９はフィルタ、１３は食器洗浄後の汚水を外部へ排水するための排水ポンプである。
【００１９】
洗浄ポンプ４は、インペラ１０の回転軸１１と洗浄ポンプ４の駆動源であるモータ５の回転軸１２を同心として略鉛直方向に構成するとともに、洗浄槽１の底部から下方へ膨出した貯水部２の側方で、かつ、食器を洗浄する洗浄手段として食器かご６に置かれた食器に向けて洗浄水を噴射する洗浄ノズル３の回転軌跡と対向する洗浄槽１の底部下方に空間部Ａに配置されている。
【００２０】
したがって、洗浄槽１内の洗浄可能な空間が確保でき、また、洗浄ポンプ４の外形寸法も確保可能となり、モータ５の高回転化の課題がなくなるため、食器洗い機の本体７の形状を大型化することなく洗浄槽１の容積を拡大して、収容可能な食器の量を多くすることができ、コンパクトな食器洗い機の本体７形状で多量の食器を洗浄することができる。また、洗浄槽１を所定の容積に設定した場合は、食器洗い機の本体７の小型化を促進することができるようになり、狭い場所への設置性を向上することができる。
【００２１】
洗浄ポンプ４は、その底部が貯水部２の底部と略同一の高さ、または、貯水部２の底部より上方となるように設けたものであり、洗浄またはすすぎの終了後に水が洗浄ポンプ４内に留まることなく貯水部２へ流動させることができるようになり、排水時の残水を少なくして洗浄効率をよくすることができる。
【００２２】
洗浄ポンプ４およびモータ５を洗浄槽１の外底部にねじ等で下方から直接取着してあり、従来、防振ゴムを介して取り付けていた際に課題となっていた、洗浄槽１と洗浄ポンプ４の相対位置関係のバラツキを少なくすることができ、洗浄水を循環させる導水路１４等の循環経路の水密シール性を向上するとともに、洗浄ポンプ４とモータ５の主な振動源となる回転方向の振動（電磁音）は、洗浄槽１に設けた取り付け部１６のねじれ方向で受けることが可能となり、モータ５駆動時の食器洗い機の本体７への振動伝達を少なくすることができる。もちろん、従来から行われている防振ゴム等の防振手段を設ければ、その振動伝達は一層少なくすることができる。
【００２３】
洗浄ポンプ４とモータ５は、洗浄ポンプ４の上方にモータ５を配設し、前記モータ５を洗浄槽１の外底部に取り付けることにより、取り付け部１６の長さを短くでき、取り付け部１６のねじれ方向の剛性を高めて振動振幅を抑え、質量の重いモータ５の駆動を安定させるとともに、洗浄ポンプ４およびこの洗浄ポンプに結合した循環経路に加わる振動にともなう機械的ストレスを減少させることができ、導水路１４等の連結部における水密シールの信頼性を高めることができる。
【００２４】
モータ５の上面と洗浄槽１の底部外面との間には間隙１７が形成してあり、モータ５の冷却用空気をこの間隙１７に流動させることにより、モータ５の上面を効率よく冷却してその温度上昇を抑え、洗浄ポンプ４の大径化による回転数の抑制と合わせて低い温度での運転を実現することができる。
【００２５】
モータ５の上面側には、同モータ５を冷却するファン１９を設けるとともに、洗浄槽１の底部には上方へ窪ませた凹部１８を設け、この凹部１８内に少なくともファン１９の一部を収容することにより、洗浄槽１の底部下方の空間にファン１９をコンパクトに収容して、モータ５の冷却を効率よく行うことができる。
【００２６】
モータ５の内部には、その回転軸１２と同方向へ延びる領域を有した通気路２０を形成してあり、モータ５の駆動により下方から引き込んだ空気は、図３の矢印で示すように、通気路２０を通って洗浄槽１の底部外面との間に設けた間隙１７からモータ５の外周方向へ流出して、モータ５の内部と下面および上面を同時に効率よく冷却することができる。
【００２７】
洗浄槽１の底部に設けた凹部１８は、その開口側の外周縁に内側上がりの傾斜部２１が設けてあり、モータ５の内部を通過して洗浄槽１の底部外面に到達した空気をモータ５の外周方向へ円滑に流動させることができ、冷却効果をよくすることができる。なお、上記傾斜部２１は、曲面部で形成してもよい。
【００２８】
ファン１９は、モータ５の通気路２０から流出する空気を、モータ５の回転軸１２側へ導くガイド２２を設けてあり、ファン１９の能力を高めるとともに、ファン１９から出た直後の空気のファン１９へのショートカットを抑制し、冷却流がモータ５の上面に接触する面積を大きくして冷却効果をよくすることができる。
【００２９】
モータ５の外形を洗浄ポンプ４の外形より大きく形成するとともに、モータ５の電気的接続を行うターミナル部２３を設け、このターミナル部２３は、モータ５の下端から同モータ５の下方に配設した洗浄ポンプ４の側方へ突出するように構成してあり、モータ５の厚さを薄くして洗浄槽１の底部下方の空間を低くすることができ、本体７の小型化または洗浄槽１の大型化を促進することができるとともに、洗浄ポンプ４の側方に形成されるモータ５の下方空間を有効に利用して、モータ５の電気的接続を行うことができるとともに、洗浄槽１の底部に取り付けたモータ５の電気的接続を容易にすることができる。
【００３０】
次に、上記実施例の動作について説明する。まず、貯水量制御手段により水道水が洗浄槽１の内部へ給水される。給水された水は、洗浄槽１の底部に設けられた貯水部２に貯まり、所定の水位になったところで貯水量制御手段によって給水を停止する。次に、洗浄ポンプ４が動作し、貯水部２の洗浄水は洗浄ポンプ４により加圧され、導水路１４を通して洗浄ノズル３へ搬送され、そのノズル孔１５から洗浄槽１内の食器かご６に置かれた食器に向けて噴射され洗浄を行う。
【００３１】
洗浄を行った洗浄水は、再び貯水部２へ戻るように複数の循環経路を構成する。その際、洗浄水はヒータ８によって加熱され、予め設定されている適度な高温となって洗浄力が高められるとともに、洗浄を行った洗浄水の汚染物は再び貯水部２へ戻る際にフィルタ９により捕捉され、循環して洗浄を行う際の汚染物の再付着を抑える。洗浄が終わると排水ポンプ１３によって洗浄槽１内の洗浄水が排水される。
【００３２】
【発明の効果】
以上のように本発明によれば、本体形状を大型化することなく洗浄槽の容積を拡大して、洗浄可能な食器の量を多くすることができ、コンパクトな本体形状で多量の食器を洗浄することができる。
【図面の簡単な説明】
【図１】本発明の実施例１の食器洗い機の断面図
【図２】同食器洗い機の要部断面図
【図３】同食器洗い機の洗浄ポンプおよびモータの拡大断面図
【図４】従来の食器洗い機の断面図
【図５】同食器洗い機の上面図
【図６】従来の他の食器洗い機の断面図
【符号の説明】
１  洗浄槽
２  貯水部
３  洗浄ノズル
４  洗浄ポンプ
５  モータ
１１  回転軸
１２  回転軸
１７  間隙
１８  凹部
１９  ファン
２０  通気路
Ａ  空間部
【図１】
2004275364.tif 000003
【図２】
2004275364.tif 000004
【図３】
2004275364.tif 000005
【図４】
2004275364.tif 000006
【図５】
2004275364.tif 000007
【図６】
2004275364.tif 000008